(57)【要約】【課題】  児童がランドセルなどの背負い鞄の防犯ブザーを取り付けるに当たり、非常時に即座に使用するためには、背負いベルトに取り付けて胸元にぶら下げておくことが有効である。本発明は、防犯ブザーを背負いベルトに固定するためにリボンもしくは紐とともに使う器具を提供する。【解決手段】  樹脂などの硬質な材料で作った背負いベルト２の幅に収まる板状の器具本体１もしくは１１に、上下左右にリボンもしくは紐を通す穴を開け、リボン３もしくは紐１３を十字に引き回せるように工夫した穴４もしくは１４を中央部にあけることによって、低コストで背負いベルト２に防犯ブザーを取り付けるようにする【選択図】    図１
2007068590.tif 000002
【特許請求の範囲】
【請求項１】
防犯ブザーを取り付けたリボンもしくは紐を、ランドセルなどの背負い鞄の背負いベルトに固定する器具
【請求項２】
前記背負いベルトに固定するために、リボンもしくは紐を十字に引き回すために作られたスリットもしくは穴を有することを特徴とする器具
【発明の詳細な説明】
【技術分野】
【０００１】
この発明は、防犯ブザーを取り付けたリボンもしくは紐を、背負い鞄の背負いベルトに固定する器具に関するものである
【背景技術】
【０００２】
ランドセルなどの背負い鞄の背負いベルトに、市販の防犯ブザーを直接ぶら下げて胸元で操作できるようにする方法は、特許文献１、２、３で開示されている。この方法の利点は、児童が胸元で操作できること、カバーなどに防犯ブザーを入れないので動作時の音量を十分確保できることなどの利点がある。
しかしながら、文献１はランドセル製造時に防犯ブザーを取り付ける金具をつける必要があり、従来のランドセルには適用が困難である。文献２は防犯ブザーを取り付けるバンドが上下方向で固定できていないため、背負いベルト装着状態で上下方向に外れる可能性があるという課題が残る。また、布地を加工して製造する必要があるため、製造コストが掛かる。文献３は構造が大掛かりであるため製造および部品のコスト面で課題が残る。
【０００３】
【特許文献１】特許公開２００５−１６９０１８
【特許文献２】登録実用新案第３１０５２４６号
【特許文献３】登録実用新案第３１１１４９８号
【発明の開示】
【発明が解決しようとする課題】
【０００４】
文献１では従来のランドセルに適用することが困難であり、防犯ブザー取り付け金具が背負いベルトに固定されていることから、児童の成長に伴って金具の位置を変えることが出来ない。取り付け金具の位置の調整、従来のランドセルへの適用困難の課題がある。
文献２では、上下方向の固定、製造コストの削減の課題がある。
文献３は、製造コスト及び部品コストの削減の課題がある。
【０００５】
本発明の目的は、ランドセルなどの背負い鞄の背負いベルト２に市販の防犯ブザー９を簡単に任意の位置に固定する、低コストの器具を提供することにある。
【課題を解決するための手段】
【０００６】
本発明に係る防犯ブザー９を背負いベルト２に固定する器具本体１もしくは器具本体１１は、一本もしくは複数のリボン３もしくは紐１３と合わせて、ランドセルなどの背負い鞄の背負いベルト２に固定するものである。
【０００７】
リボン３を用いる場合、器具本体１は中央部にリボン３を十字に引き回すための穴４を有し、左右両端にリボン３を通すための穴５，穴６を１つもしくは複数個有し、上下両端にリボン３を通す穴７、穴８を１つもしくは複数個有す。
リボン３を下端の穴８を使って輪を作り、防犯ブザー９を取り付ける。
リボン３を中央部穴４に通して十字に引き回し、左右端穴５，６を通して作る輪１０に背負いベルト２を通して、本体器具１が背負いベルト２に対して左右方向に外れないように固定する。上端の穴７から上方へ延びるリボン３の長さを調整して、背負いベルト２の上部に取り付け、器具本体１を下方向に外れないように固定する。
【０００８】
紐１３を用いる場合、器具本体１１は中央部に紐１３を十字に引き回すための穴１４を有し、左右両端に紐１３を通すための穴１５，穴１６を１つもしくは複数個有し、上下両端に紐１３を通す穴１７、穴１８を１つもしくは複数個有す。
紐１３を下端の穴１８を使って輪を作り、防犯ブザー９を取り付ける。
紐１３を中央部穴１４に通して十字に引き回し、左右端穴１５，１６を通して作る輪２０に背負いベルト２を通して、本体器具１１が背負いベルト２に対して左右方向に外れないように固定する。上端の穴１７から上方へ延びる紐１３の長さを調整して、背負いベルト２の上部に取り付け、器具本体１１を下方向に外れないように固定する。
【０００９】
器具本体１もしくは器具本体１１は、プラスチックなどの樹脂、木材、金属などの硬質の材料を用いて構成出来る。
【００１０】
リボン３もしくは紐１３の長さを調整して背負いベルト２に取り付けることにより、位置の微調整に関する課題を解決する。リボン３もしくは紐１３を背負いベルト２に取り付け、下端に防犯ブザー９を取り付けることにより、上下方向のへの固定に関する課題を解決する。主たる部品は器具本体とリボンもしくは紐のみであるので、低コストで提供できる。
【発明の効果】
【００１１】
請求項目１記載の本発明に係る器具本体１もしくは器具本体１１は、一つの部品として成り立ち、他の部品との組み立てを製造上必要としないため、低コストで実現できる。
【００１２】
リボン３もしくは紐１３に取り付けた防犯ブザー９を背負いベルト２に固定するために、本発明の器具本体１もしくは器具本体１１を使用する。器具には数個の穴を有するのみであるので、道具を一切使わずに簡単に取り付けが可能となる。
【００１３】
防犯ブザー９は、特別なケースに入れることなく胸元にぶら下げる形で使われるので、市販のものを利用でき、ブザーの音量も最大限有効的に鳴らすことが出来る。
【００１４】
リボン３もしくは紐１３の長さを調整することによって、任意の位置に防犯ブザー９を取り付けることが出来る。
【図面の簡単な説明】
【００１５】
【図１】本発明を使って防犯ブザーをランドセルに取り付けた例を示す図
【図２】リボンを使う場合と紐を使う場合の本発明の器具の構成を示す図
【図３】本発明の器具を使ったリボンと紐の引き回しの例を示す図
【符号の説明】
【００１６】
１  リボンを使う場合の防犯ブザーを背負いベルトに固定する器具本体
２  背負いベルト
３  リボン
４  リボンを十字に引き回すための穴
５  防犯ブザーを背負いベルトに固定する器具１の右部の穴
６  防犯ブザーを背負いベルトに固定する器具１の左部の穴
７  防犯ブザーを背負いベルトに固定する器具１の上部の穴
８  防犯ブザーを背負いベルトに固定する器具１の下部の穴
９  防犯ブザー
１０  リボンを使った場合の背負いベルトと固定するための輪
１１  紐を使う場合の防犯ブザーを背負いベルトに固定する器具本体
１３  紐
１４  紐を十字に引き回すための穴
１５  防犯ブザーを背負いベルトに固定する器具１１の右部の穴
１６  防犯ブザーを背負いベルトに固定する器具１１の左部の穴
１７  防犯ブザーを背負いベルトに固定する器具１１の上部の穴
１８  防犯ブザーを背負いベルトに固定する器具１１の下部の穴
２０  紐を使った場合の背負いベルトと固定するための輪
【図１】
2007068590.tif 000003
【図２】
2007068590.tif 000004
【図３】
2007068590.tif 000005